(57)【特許請求の範囲】
【請求項１】
ゴルフ場のピン位置確認装置において、
フラッグが付けられホールピンとして用いられる旗竿の上側端に締付され、無線送受信部と固有ＩＤを有するピン位置確認用の発光部と、前記ピン位置確認用の発光部の点消灯を無線にて遠隔制御するリモコン部と、から構成し、
前記リモコン部は、
無線送受信部と、
制御対象発光部を選択する制御対象設定部と、
発光部の点消灯を指令する実行ボタンと、
登録モードでスキャンを通じて無線受信された制御対象発光部の固有ＩＤを前記制御対象設定部のリモコン制御対象識別子と整合して内部メモリに登録されるように制御し、前記実行ボタンの入力に応じて前記内部メモリに登録されたリモコン制御対象識別子に整合された固有ＩＤを有する発光部に点消灯指令を前記無線送受信部を介して無線伝送するリモート制御部と、
を備え、
前記ピン位置確認用の発光部は、表面実装型発光ダイオードと、太陽電池部と、押下ボタンと、を備える、ゴルフ場のピン位置確認装置。
【発明の詳細な説明】
【技術分野】
【０００１】
本発明はゴルフ装備に係り、さらに詳しくは、ゴルフ場のホールピンの位置を認識し易くするゴルフ場のホールピン位置確認装置および該ゴルフ場のピン位置確認装置における発光部の登録方法に関する。
【背景技術】
【０００２】
一般に、ゴルフ場は、ロングホールの４本と、ミドルホールの１０本およびショットホールの４本の合計で１８ホールから構成される。ショットホールは、ティーグランドのティーショット地点からパッティンググリーンのホールカップまでの距離が概ね２２９メートル以下であり、ミドルホールは２３０メートル〜４３０メートルであり、そしてロングホールは４３１メートル以上である。
【０００３】
ゴルファーは、ショットホールの場合には１打だけでパッティンググリーンの上にボールを載せることができるが、ミドルホールやロングホールの場合にはティーショットしたボールを３００メートル以上送ることが決して容易ではない。ほとんどのゴルファーがミスを最小限に留めるようなティーショットをするため、一流プロのゴルファーであっても平均的なティーショット距離は２７０メートル〜２８０メートルに留まっている。プロゴルファーに匹敵するアマチュアの場合には２５０メートル〜２７０メートル程度までティーショットボールを送ることができる。
【０００４】
このため、ミドルホールやロングホールにおいてティーショットをし、その次のショット（２回目または３回目のショット）をするときや、あるいは、ショットホールにおいてティーショット（または、２回目のショット）をするときには、近くは百数十メートル、遠くは二百数十メートルにもなる遠距離からパッティンググリーンのホールカップに差し込まれているホールピンの最上端のフラッグを確認してショットをすることになる。
【発明の概要】
【発明が解決しようとする課題】
【０００５】
このとき、ホールピンのフラッグがちょうど吹いてくる風に吹かれる場合にはホールピンの位置を識別する上で役立つものの、そうでない場合にはホールピンの位置を把握する上でかなりの戸惑を感じることになる。また、老眼などにより視力が弱いゴルファーや季節の変化によりホールピンのフラッグが周りの色合いとあまり区別がつかないときに、さらに、フェアウェーの地形的な影響によりホールピンの位置を把握する上でかなりの戸惑を感じてしまう。
【０００６】
このため、普通は、競技補助員であるキャディーに方向を尋ねる場合が多く、キャディーは、参考すべき標識があまり見つけられず、漠然で且つ大まかな方向（例えば、電信柱の方向もしくはライト方向など）だけを知らせてくれるため若干は不安な気持ちでショットをするものである。
【０００７】
この理由から、ホールピンの位置をゴルファーに一層簡単で且つ容易に識別せしめる装置が切望される。
【０００８】
また、ショットをする位置とパッティンググリーンとの間に丘があったり、ホールのフェアウェー区間が左右に曲がっていてパッティンググリーンが見えない場合には、フラッグを付けておいた案内ピンをフェアウェー区間の適当な位置に設けることになるが、その
案内ピンもホールピンと同様によく見えない場合があるためそれを識別可能にする装置が望まれる。
【０００９】
従って、本発明の目的は、ゴルフ場のピン位置を認識し易くするゴルフ場のピン位置確認装置および該ゴルフ場のピン位置確認装置における発光部の登録方法を提供するところにある。
【課題を解決するための手段】
【００１０】
上述した目的を達成するために、本発明は、ゴルフ場のピン位置確認装置において、旗竿（フラッグスティック）の上側端に締付され、無線送受信部と固有ＩＤを有するピン位置確認用の発光部と、前記ピン位置確認用の発光部の点消灯を無線にて遠隔制御するリモコン部と、から構成し、前記リモコン部は、無線送受信部と、制御対象発光部を選択する制御対象設定部と、発光部の点消灯を指令する実行ボタンと、登録モードでスキャンを通じて無線受信された制御対象発光部の固有ＩＤを前記制御対象設定部のリモコン制御対象識別子と整合して内部メモリに登録されるように制御し、前記実行ボタンの入力によって前記内部メモリに登録されたリモコン制御対象識別子に整合された固有ＩＤを有する発光部に点消灯指令を前記無線送受信部を介して無線伝送するリモート制御部と、を備えてなることを特徴とする。
【００１１】
また、本発明は、旗竿の上側端に締付され、無線送受信部と固有ＩＤを有するピン位置確認用の発光部と、前記ピン位置確認用の発光部の点消灯を無線にて遠隔制御するリモコン部と、から構成されたゴルフ場のピン位置確認装置における発光部の登録方法において、リモコン部の登録キーの入力によって前記発光部の固有ＩＤを無線送受信を通じてスキャンするステップと、前記スキャンされた発光部の固有ＩＤとリモコン部の制御対象設定部によって選択されたリモコン制御対象識別子とを整合して内部メモリに登録されるように制御するステップと、前記登録されたリモコン制御対象識別子に対応する発光部が点消灯されるように無線制御するステップと、からなることを特徴とする。
【発明の効果】
【００１２】
本発明は、ゴルフ場内の旗竿に発光部が装着され、リモコン部により点消灯制御されることから、ホールピンや案内ピンなどのピン位置をゴルファーに容易に認識せしめ、且つ、ゴルファーに楽な気持ちでショットをせしめるといったメリットがある。
【図面の簡単な説明】
【００１３】
【図１】本発明の実施形態によるゴルフ場用のピン位置確認装置の概略斜視図。
【図２】図１の旗竿の上端に締付されたピン位置確認用の発光部の分解斜視図。
【図３】発光部の一部を分離した斜視図。
【図４】発光部の結合断面図。
【図５】発光部を旗竿から外した斜視図。
【図６】本発明の実施形態によるゴルフ場用のピン位置確認装置の回路ブロック構成図。
【図７】リモート制御部における発光部の登録制御の流れを示すフローチャート。
【発明を実施するための形態】
【００１４】
以下、添付図面に基づき、本発明の好適な実施形態を詳述する。
【００１５】
図１は、本発明の実施形態によるゴルフ場のピン位置確認装置の概略斜視図であり、図２は、図１の旗竿２の上端に締付されたピン位置確認用の発光部（以下、「発光部」と略称する。）６の分解斜視図であり、図３は、発光部６の構成の一部を分離した斜視図である。
【００１６】
そして、図４は発光部６の結合断面図であり、図５は、発光部６を旗竿２から外した斜視図であり、図６は、本発明の実施形態によるゴルフ場のピン位置確認装置の回路ブロック構成図である。
【００１７】
本発明の実施形態によるゴルフ場のピン位置確認装置は、図１に示すように、旗竿２の上端に締付される発光部６と、前記発光部６の点消灯を無線にて遠隔制御するリモコン部８と、から構成する。
【００１８】
旗竿２はゴルフ場のホールピンや案内ピンとして用いられる２．１メートル（７フィート）以上の長さを有する棒体であって、その上側にはフラッグ４が付けられている。旗竿２の最上端には本発明によってネジ部２ａが形成されることにより、図２から図５に示す構造の発光部６が螺着可能になる。
【００１９】
本発明の実施形態による発光部６は、本体に配設された押下ボタンスイッチやリモコン部８の無線遠隔制御によってスイッチオン制御時に様々な色合い（明るい赤色、青色、燈色、白色など）にて高輝度点灯発光または点滅発光できるように構成されたものである。
【００２０】
発光部６は、大きく、ハウジング１０と固定部材２０およびベース３０から構成される。
【００２１】
ハウジング１０は、透明な合成樹脂製の上溝を有するパイプ状である。ハウジング１０の上溝の底面にはボタン蓋体１２が取り付けられてユーザーが指先や細い道具などを入れてボタンを押下できるようにする。ボタン蓋体１２はゴムなどの軟性材質の素材から製作されている。
【００２２】
固定部材２０は、ハウジング１０内に嵌め込まれた後に部品が取り付けられ、その後に溶着結合されてハウジング１０と一体化される部材である。固定部材２０の上部載置面２２には制御チップ１８がベアチップの形で実装されたプリント回路基板１６が載置され、その上には押下ボタン１４が次第に載置固定される。
【００２３】
円形のプリント回路基板１６は薄膜基板であり、その基板の上に回路パターンが形成される。プリント回路基板１６の上にはベアチップ状に搭載された制御チップ１８が形成され、無線送受信のための回路部と電源供給のための回路部なども形成される。制御チップ１８は様々な色合いにて点灯発光または点滅発光する表面実装型発光ダイオード（Surface  Mounted  Device  Light  Emission  Diode：以下、「ＳＭＤＬＥＤ」と称する。）２４を発光制御する。図６の本体制御部６０が上述した制御チップ１８の形で実現可能である。
【００２４】
プリント回路基板１６の回路パターンラインには複数列の可撓性プリント回路ケーブル２６を連結するが、可撓性プリント回路ケーブル２６の導電膜ライン２８とプリント回路基板１６の回路パターンラインを介して制御チップ１８とＳＭＤＬＥＤ２４との間が電気的に接続されるように構成する。参照番号「２９」は可撓性プリント回路ケーブル２６、導電膜ライン２８、ＳＭＤＬＥＤ２４から構成された各列のＳＭＤＬＥＤ部である。
【００２５】
可撓性プリント回路ケーブル２６はプリント回路基板１６の外周から放射状に複数連結されて懸垂されており、各可撓性プリント回路ケーブル２６の上には一対のＳＭＤＬＥＤ２４が散在的に配置され、多数のＳＭＤＬＥＤ２４対の間にも電気的にパラレル接続される。ＳＭＤＬＥＤ２４のそれぞれは種々の色合いを有し、１０〜３０カンデラ［ｃｄ］の高輝度にて発光させるように実現することが好ましい。
【００２６】
また、プリント回路基板１６はループ状アンテナ３２を有するアンテナ回路部３４と電気的に接続され、多数の太陽電池板からなる太陽電池部３６とも電気的に接続される。
【００２７】
ループ状アンテナ３２を固定部材２０に嵌め込み、プリント回路基板１６を固定部材２０の上部載置面２２に装備すると、図３に示す一例のように、複数の各列のＳＭＤＬＥＤ部２９と太陽電池部３６とループ状アンテナ３２およびアンテナ回路部３４は固定部材２０の円筒外縁の表面に位置することになる。太陽電池部３６やループ状アンテナ３２およびアンテナ回路部３４の厚さやサイズがハウジング１０と固定部材２０の嵌込みに妨げにならない程度に大きな場合には、固定部材２０の円筒外縁の表面には当該構成品を位置付ける配置溝部を形成する必要がある。また、図３においては、太陽電池部３６を固定部材２０の円筒外縁の表面の最下部に位置付けた一例を示しているが、各列のＳＭＤＬＥＤ部２９の間に位置付けることも可能であるということを理解すべきである。このとき、プリント回路基板１６の下部電極端（図４の１７）は固定部材２０の上部載置面２２の通孔を介して下部に露出される。
【００２８】
この状態で、ハウジング１０内に固定部材２０を嵌め込んだ後、超音波または熱融着を行うと、固定部材２０とハウジング１０は図４の結合断面図のように一体に構成される。すると、押下ボタン１４とプリント回路基板１６は固定部材２０の上部載置面２２に載置固定されるとともに、封止状態が維持される。
【００２９】
一方、バッテリ収納溝４０を有するベース３０は固定部材２０の内部に螺着されるように構成され、バッテリ収納溝４０には１次（消耗性）または２次（充放電）電池であるバッテリ４２が収納される。前記バッテリ４２は太陽電池部３６の電池部の役割を担うように実現することができ、他の例として、バッテリ収納溝４０やプリント回路基板１６に別途の太陽電池用蓄電池部が形成されるように構成してもよい。
【００３０】
ベース３０において、参照番号「４４」は螺子部である。
【００３１】
ベース３０のバッテリ収納溝４０にバッテリ４２を収納後に、ハウジング１０と一体化された固定部材２０への螺着を行うと、本発明の発光部６が組み立てられて完成される。
【００３２】
上述したピン位置確認用の発光部６はゴルフ場内の当該フィールドに差し込まれているホールピンや案内ピンなどの旗竿２の最上端に図１に示すように締め付けられる。
【００３３】
上述した如き発光部６の回路構成は、図６に示すように、本体制御部６０、トグルスイッチ６２、ループ状アンテナ３２を有する無線送受信部６４、太陽電池部３６およびバッテリ４２を有する電源供給部６８、第１列から第ｎ列のＳＭＤＬＥＤ部２９を備える。
【００３４】
電源供給部６８は太陽電池部３６やバッテリ４２からの電源を用いて発光部６の各部に要される直流電源に供給する。
【００３５】
トグルスイッチ６２はユーザーが押下ボタン１４を押下する度に点灯と消灯を交互に行う連結スイッチの役割を果たし、本体制御部６０は各列のＳＭＤＬＥＤ部２９に対する発光制御と点灯または点滅制御の周期、当該発光部６の固有ＩＤを内部メモリ６６に記憶している。さらに、本体制御部６０はトグルスイッチ６２のオン制御に応じて予め設定されたプログラムに基づいて各列のＳＭＤＬＥＤ部２９を発光制御し、さらに、リモコン部８を用いたユーザーの遠隔無線制御によってＳＭＤＬＥＤ部２９を点消灯制御する。
【００３６】
図１に戻り、リモコン部８はゴルフ場に設けられた旗竿２の最上端に締付された発光部６の点消灯を遠隔制御するものである。
【００３７】
リモコン部８は、図６に示すように、リモート制御部７０、例えば、ジョグシャトルなどのように構成可能な制御対象設定部７２、実行ボタン７４、状態表示ランプ７６、一括登録キー８０、選択登録キー８２、無線送受信部７８から構成する。
【００３８】
リモート制御部７０はリモコン部８の全般的な動作を制御する。特に、本発明の実施形態によって登録モードでスキャンを通じて無線受信された制御対象発光部６の固有ＩＤを制御対象設定部７２のリモコン制御対象識別子と整合して内部メモリ７１に登録されるように制御し、その後、実行ボタン７４の入力によって内部メモリ７１に登録されたリモコン制御対象識別子（番号）に整合された固有ＩＤを有する発光部６に点消灯指令を無線送受信部７８を介して無線伝送して当該発光部６の点消灯を制御する。
【００３９】
無線送受信部７８は常用周波数帯域において多数の発光部６とＲＦ無線送受信するブロックである。
【００４０】
制御対象設定部７２は、例えば、図６に示すように、ジョグシャトルの形で構成可能であり、制御対象発光部６を選択する機能を担う。
【００４１】
図６の一例においては、制御対象設定部７２のジョグシャトルの外周面にピンホール番号を含む識別子８４が同心状に刻設されていてもよく、ジョグシャトルの上部に形成された基準点８６にジョグシャトルの識別子８４を合わせることにより当該リモコン制御対象識別子（番号）が選択されるようになっている。
【００４２】
実行ボタン７４は発光部６の点消灯を指令するボタンであり、リモート制御部７０の制御下で作動する。
【００４３】
本発明の実施形態においては、リモコンユーザーがゴルフ場に差し込まれた旗竿２に締付された全ての発光部６をリモコン部８を用いて任意に点消灯できるようになっている。このためには、ゴルフ場の旗竿２に締め付ける発光部６の固有ＩＤをリモコン部８に前もって登録しておくことが必要である。
【００４４】
発光部６の固有ＩＤのリモコン部８への事前登録は、リモコンユーザーがリモコン部８の一括登録キー８０や選択登録キー８２を用いて登録モードで行う。一括登録キー８０や選択登録キー８２は発光部６の登録外の用途にはあまり使用しないためリモコン部８の側面などに配設されてもよく、ディープスイッチの形でも実現可能である。
【００４５】
リモコンユーザーがリモコン部８の一括登録キー８０や選択登録キー８２を入力すると、リモート制御部７０は、図７に示す制御プログラムを用いた登録モードで発光部６をリモコン部８に登録する。すなわち、各制御対象発光部６の固有ＩＤをリモコン部８のリモコン制御対象識別子（番号）のそれぞれに整合して登録するのである。
【００４６】
図７は、リモート制御部７０における発光部の登録制御の流れを示すフローチャートである。
【００４７】
以下、図７に基づいてリモコン部８に本発明の発光部６を登録する手続きをより具体的に説明する。
【００４８】
キャディーなどのユーザーはゴルフ場の旗竿２に締め付ける発光部６をいずれも一括的に登録することもでき、選択的にも登録することもできる。一括的な登録方法は、ゴルフ場の旗竿２に発光部６を最初に締め付けるときや一括的に締め付け直すときに採択する方法であり、選択的な登録方法は、いくつかの発光部６が故障したり新たに付設する必要があるときに採択する方法である。
【００４９】
先ず、発光部６をリモコン部８に一括登録する方法を説明する。
【００５０】
キャディーなどのユーザーがゴルフ場に設ける全ての発光部６を本人の前に集めておいてリモコン部８の一括登録キー８０を押すと、リモート制御部７０は、図７のステップ１００においてこれを認識し、図７のステップ１０２に移行して多数の登録対象となる発光部６のそれぞれの固有ＩＤをスキャンする。
【００５１】
すなわち、リモート制御部７０は無線送受信部７８を介して発光部固有ＩＤのスキャン要求に対応する無線信号を無線送信することにより、それぞれの発光部６の本体制御部６０はループ状アンテナ３２および無線送受信部６４を介して受信された発光部固有ＩＤのスキャン要求に応答して内部メモリ６６に整合された固有ＩＤを読み込んでリモコン部８に無線送信する。
【００５２】
リモコン部８のリモート制御部７０は、図７のステップ１０２において、スキャンした全ての発光部６から受信された固有ＩＤを取り合わせ、固有ＩＤ値の順番に基づいてリモコン制御対象識別子（番号）を整合して割り当て、これを内部メモリ７１に登録する。
【００５３】
例えば、１８といったピンホールの数に見合う分だけの発光部６があるとすれば、その発光部６の各固有ＩＤをスキャンし、固有ＩＤ値が低い順番から始まって制御対象設定部７２の一例であるジョグシャトル内の刻設された番号（リモコン制御対象識別子）１から１８までを１８個のピンホールに対応して割り当てることができる。
【００５４】
その後、リモート制御部７０は、図７のステップ１０６において、一括割当て指定がなされた旨を報知する点滅表示を状態表示ランプ７６を通じて行う。
【００５５】
しかしながら、これまでユーザーは発光部６がどんな番号（リモコン制御対象識別子）を割り当てられたかを知っていないままである。これを知るためには、制御対象設定部７２を１間ずつ回しながら選択すればよい。
【００５６】
具体的に説明すれば、下記の通りである。
【００５７】
ユーザーが制御対象設定部７２を用いてリモコン制御対象識別子（番号）を選択すると、すなわち、図６に示す一例においてジョグシャトルを１間ずつ回して刻設された識別子（番号）８４を基準点８６に合わせると、リモート制御部７０は図７のステップ１０８においてこれを判断し、図７のステップ１１０に移行する。
【００５８】
図７のステップ１１０において、リモート制御部７０は当該発光部６を点灯後に消灯する無線制御を行う。例えば、制御対象設定部７２であるジョグシャトルに刻設されたリモコン制御対象識別子（番号）８４の「１」番を基準点８６に合わせると、リモート制御部７０は１番に整合されて記憶された当該発光部６の固有ＩＤを内部メモリ７１から読み出す。そして、その発光部固有ＩＤと共に当該発光部を点灯後に消灯する制御指令を当該発光部６に無線送信する。
【００５９】
これにより、固有ＩＤに相当する発光部６の本体制御部６０は、各列のＳＭＤＬＥＤ部２９を所定期間点灯した後に消灯する。このため、ユーザーは「１」番に相当する制御対象発光部６がどれかを知ることができ、後ほどに本人が認知し易いようにラベルを付けたりマジックペンなどで書いておくなどの識別表示をしておくことができる。
【００６０】
ユーザーは制御対象設定部７２であるジョグシャトルを回していきながらリモート制御部７０によって図７のステップ１０８とステップ１１０が繰り返し行われるようにして全ての発光部６に対して識別表示を与えることができ、全ての発光部６への識別表示を完了すると、一括確定に対応するキー（例えば、実行キー）などを入力する。ユーザーが一括確定に対応するキーを入力することにより、リモート制御部７０は、図７のステップ１１２においてこれを認識して終了する。
【００６１】
次に、いくつかの発光部６をリモコン部８に選択登録する方法を説明する。
【００６２】
キャディーなどのユーザーがゴルフ場に付設または再設置する発光部６を一つずつ本人の前に集めておいてリモコン部８の選択登録キー８２を押すと、リモート制御部７０は、図７のステップ１１４においてこれを認識し、図７のステップ１１６に移行して該当登録対象となる発光部６の固有ＩＤをスキャンする。
【００６３】
その後、リモコン部８のリモート制御部７０は、ユーザーが制御対象設定部７２を用いてリモコン制御対象識別子（番号）を選択すると、すなわち、図６に示す一例においてジョグシャトルを回して本人が希望するリモコン制御対象識別子（番号）８４を基準点８６に合わせると、リモート制御部７０は、図７のステップ１１８においてこれを判断し、図７のステップ１２０に移行する。
【００６４】
図７のステップ１２０において、リモート制御部７０は、スキャンした当該発光部６から受信された固有ＩＤ値を選択入力されたリモコン制御対象識別子（番号）と整合して割り当て、これを内部メモリ７１に追加登録または更新登録する。
【００６５】
図７のステップ１２０を行った後に、リモート制御部７０は、図７のステップ１２２において、当該発光部６が点灯後に消灯されるように無線制御することにより、当該発光部６は各列のＳＭＤＬＥＤ部８２９を所定期間点灯した後に消灯することになる。このため、ユーザーは制御対象となる発光部６が登録されたことを確認することができる。
【００６６】
キャディーなどのユーザーは、図７に示す過程を通じて登録済みの発光部６をユーザー本人がしておいた識別表示に基づいて自分が希望する旗竿２に締め付けることができる。
【００６７】
このようにゴルフ場の全ての旗竿２に登録された発光部６を締め付けると、まるでリモコン部８にゴルフ場のピン位置を全て登録するかのようになり、ユーザーはプレイするゴルファーの要請に応じて所望のピンの発光部６を点消灯することが可能になる。
【００６８】
上述したように、発光部６を制御できるように登録したリモコン部８を多数準備する必要性がある場合には、リモコン部８の登録情報をコピーする方式を採用すればよく、それによるコピープログラムもリモート制御部７０の内部メモリ７１にマッピングされるように実現することができる。要するに、先登録の一つのリモコン部８をマスターに設定し、未登録の多数台のリモコン部８をスレーブに設定した後、登録情報のコピーがなされるように制御すると、無線送受信部を介してマスターからスレーブへと当該登録情報が無線送信されて内部メモリ７１に記憶される。
【００６９】
以上、本発明の説明に当たって具体的な実施形態について説明したが、種々の変形が本発明の範囲から逸脱することなく実施可能である。よって、本発明の範囲は説明された実施形態によって定められるものではなく、特許請求の範囲とその均等物によって定められるべきである。
【産業上の利用可能性】
【００７０】
本発明はゴルフ用品として利用可能である。
【符号の説明】
【００７１】
２…旗竿、
４…フラッグ、
６…ピン位置確認用の発光部、
８…リモコン部、
１０…ハウジング、
２０…固定部材、
２４…表面実装型発光ダイオード、
３０…ベース、
３６…太陽電池部
【図１】
0005465176.tif 000002
【図２】
0005465176.tif 000003
【図３】
0005465176.tif 000004
【図４】
0005465176.tif 000005
【図５】
0005465176.tif 000006
【図６】
0005465176.tif 000007
【図７】
0005465176.tif 000008